(57)【要約】【課題】  簡単に独自のカレンダーを作成することのできるオリジナルカレンダー作成プログラムおよびこれを記録した記録媒体を提供する。【解決手段】  指定手段１によって、複数のテンプレート情報のうちいずれか１つが指定され、複数の画像情報のうちいずれか１つが指定される。配置手段３は、指定手段１により指定されたテンプレート情報に基いて、指定されたテンプレート５ａのカレンダー配置部５１にカレンダーを配置し、画像情報配置部５２に指定された画像を配置する。カレンダー情報および画像が配置されると、これが印刷されるべく出力手段４により出力される。【選択図】          図１
2005122456.tif 000002
【特許請求の範囲】
【請求項１】
コンピュータを、
カレンダー情報を記憶するカレンダー情報記憶手段、
複数の画像情報を記憶する画像情報記憶手段、
前記カレンダー情報および前記画像情報の配置割り当てが予め定められた複数のテンプレート情報を記憶するテンプレート情報記憶手段、
前記画像情報記憶手段に記憶された複数の画像情報のうちの１つを指定し、前記テンプレート情報記憶手段に記憶された複数のテンプレート情報のうちの１つを指定する指定手段、
前記指定手段で指定された前記テンプレート情報に基いて前記カレンダー情報と指定された前記画像情報とを配置する配置手段、および
前記配置手段で配置された状態で印刷すべく出力する出力手段として機能させることを特徴とするオリジナルカレンダー作成プログラム。
【請求項２】
請求項１記載のオリジナルカレンダー作成プログラムを記録したコンピュータで読み取り可能な記録媒体。
【請求項３】
請求項１記載のオリジナルカレンダー作成プログラムまたは請求項２記載の記録媒体に記録されたオリジナルカレンダー作成プログラムにより作成されたカレンダーを印刷可能なカレンダー印刷部および当該カレンダー印刷部の底辺から前記カレンダー印刷部より幅狭に延出された差込部を有するカレンダー用紙と、
メモパッドと、
前記メモパッドを載置可能なメモパッド受部および前記カレンダー用紙の前記差込部を差込可能な上方に開口されたカレンダー受部を有するメモ台本体とを具備することを特徴とするカレンダー付きメモ台。
【発明の詳細な説明】
【技術分野】
【０００１】
本発明は、オリジナルカレンダーを作成するためのオリジナルカレンダー作成プログラム、これを記録した記録媒体、および、前記プログラムで作成されたカレンダーを備えたカレンダー付きメモ台に関する。
【背景技術】
【０００２】
カレンダー用紙を入れるカレンダーケースおよびメモ用紙を入れるメモケースを備えたカレンダー付きメモ台が公知である（例えば、特許文献１）。カレンダーケースをメモケースに対して所定角度傾けた位置に装着することにより、カレンダーが視認容易となるものである。
【特許文献１】特開２００１−３９０５６号公報
【発明の開示】
【発明が解決しようとする課題】
【０００３】
しかし、このような従来のカレンダー付きメモ台においては、以下のような問題があった。すなわち、特許文献１のような従来のカレンダー付きメモ台においては、カレンダーを視認容易にするためには、カレンダーケースが必要となり、コストが増大する問題があった。
【０００４】
また、従来のカレンダー付きメモ台は、メモ台に既成のカレンダーが装着されているだけなので、没個性的である。特に、会社等の備品として大量購入した際に皆が同じ構図、同じ図柄等のカレンダーを所持することとなり、面白味がないという問題があった。
【０００５】
だからと言って、はじめからカレンダーがそれぞれ異なる構図、図柄等を有しているカレンダー付きメモ台では、カレンダーを複数種類作成する必要があり、コストが増大してしまうという問題があった。
【０００６】
本発明は、かかる従来技術の問題点を解決するべくなされたもので、簡単に独自のカレンダーを作成することのできるオリジナルカレンダー作成プログラムおよびこれを記録した記録媒体を提供することを第１の目的とする。
【０００７】
また、本発明は、複数ある同じカレンダー付きメモ台であっても、それぞれ独自のカレンダーを安価に備えることができるカレンダー付きメモ台を提供することを第２の目的とする。
【課題を解決するための手段】
【０００８】
本発明に係るオリジナルカレンダー作成プログラムは、コンピュータを、カレンダー情報を記憶するカレンダー情報記憶手段、複数の画像情報を記憶する画像情報記憶手段、前記カレンダー情報および前記画像情報の配置割り当てが予め定められた複数のテンプレート情報を記憶するテンプレート情報記憶手段、前記画像情報記憶手段に記憶された複数の画像情報のうちの１つを指定し、前記テンプレート情報記憶手段に記憶された複数のテンプレート情報のうちの１つを指定する指定手段、前記指定手段で指定された前記テンプレート情報に基いて前記カレンダー情報と指定された前記画像情報とを配置する配置手段、および前記配置手段で配置された状態で印刷すべく出力する出力手段として機能させるものである。
【０００９】
上記構成のオリジナルカレンダー作成プログラムによって、コンピュータにより各部を機能させる。
【００１０】
カレンダー情報記憶手段には、暦に基いたカレンダー情報が記憶され、画像情報記憶手段には、複数の画像情報が記憶され、テンプレート情報記憶手段には、カレンダー情報および画像情報の配置が予め定められた複数のテンプレート情報が記憶される。指定手段によって、複数のテンプレート情報のうちいずれか１つが指定され、複数の画像情報のうちいずれか１つが指定される。配置手段は、指定手段により指定されたテンプレート情報に基いて、指定されたテンプレート情報のカレンダー配置箇所にカレンダーを配置し、画像情報の配置箇所に指定された画像を配置する。カレンダー情報および画像が配置されると、これが印刷されるべく出力手段により出力される。
【００１１】
このように、任意の画像を配置することができ、その配置も複数のテンプレートから選択できるため、独自のカレンダーを作成することができる。そして、予め定められたテンプレートを用いて、カレンダーおよび画像を配置することにより、誰でも容易にオリジナルカレンダーを作成することができる。
【００１２】
また、本発明に係る記録媒体は、上記のオリジナルカレンダー作成プログラムを記録したコンピュータで読み取り可能なものである。
【００１３】
上記のように簡単に独自のカレンダーが作成可能なオリジナルカレンダー作成プログラムをコンピュータで読み取り可能なフレキシブルディスク等の記録媒体に記録されることにより、メモ台、メモ帳、日記帳、手帳等のカレンダーを具備する文房具とセットの商品とすることにより、当該商品のカレンダーを容易にオリジナルカレンダーを具備する商品とすることができるとともに、低コストで当該商品の販売を促進することができる。
【００１４】
また、本発明に係るカレンダー付きメモ台は、上記のオリジナルカレンダー作成プログラムにより作成されたカレンダーを印刷可能なカレンダー印刷部および当該カレンダー印刷部の底辺から前記カレンダー印刷部より幅狭に延出された差込部を有するカレンダー用紙と、メモパッドと、前記メモパッドを載置可能なメモパッド受部および前記カレンダー用紙の前記差込部を差込可能な上方に開口されたカレンダー受部を有するメモ台本体とを具備するものである。
【００１５】
上記構成のカレンダー付きメモ台によれば、メモ台本体のメモパッド受部にメモパッドが載置される一方、カレンダー受部にカレンダー用紙が差し込まれる。カレンダー用紙は、カレンダー印刷部に上記プログラムで作成されたカレンダーが印刷され、カレンダー印刷部の底辺からカレンダー印刷部より幅狭に延出された差込部がメモ台本体の上方に開口されたカレンダー受部に差し込まれることによって、メモ台本体（水平）に対して所定角度傾けた状態でカレンダー用紙を取り付けることができる。
【００１６】
このように、カレンダー作成プログラムにより、独自のカレンダーが容易に作成できるとともに、カレンダー用紙の差込部およびメモ台本体のカレンダー受部の構成により、専用のカレンダーケースが不要となるので、複数ある同じカレンダー付きメモ台であっても、それぞれ独自のカレンダーを安価に備えることができる。
【発明の効果】
【００１７】
本発明に係るオリジナルカレンダー作成プログラムによれば、任意の画像を配置することができ、その配置も複数のテンプレートから選択できるため、独自のカレンダーを作成することができる。そして、予め定められたテンプレートを用いて、カレンダーおよび画像を配置することにより、誰でも容易にオリジナルカレンダーを作成することができる。
【００１８】
また、本発明に係るカレンダー付きメモ台によれば、カレンダー作成プログラムにより、独自のカレンダーが容易に作成できるとともに、カレンダー用紙の差込部およびメモ台本体のカレンダー受部の構成により、専用のカレンダーケースが不要となるので、複数ある同じカレンダー付きメモ台であっても、それぞれ独自のカレンダーを安価に備えることができる。
【発明を実施するための最良の形態】
【００１９】
以下、添付図面を参照しつつ、本発明を実施するための最良の形態について説明する。図１は本発明の一実施形態に係るオリジナルカレンダー作成プログラムに基いて作動するコンピュータの機能を示す概念図である。
【００２０】
本実施の形態に係るオリジナルカレンダー作成プログラムは、図１に示すように、コンピュータを、カレンダー情報を記憶するカレンダー情報記憶手段２１、複数の画像情報を記憶する画像情報記憶手段２２、前記カレンダー情報および前記画像情報の配置割り当てが予め定められた複数のテンプレート情報を記憶するテンプレート情報記憶手段２３、前記画像情報記憶手段２２に記憶された複数の画像情報のうちの１つを指定し、前記テンプレート情報記憶手段２３に記憶された複数のテンプレート情報のうちの１つを指定する指定手段１、前記指定手段１で指定された前記テンプレート情報に基いて前記カレンダー情報と指定された前記画像情報とを配置する配置手段３、および前記配置手段３で配置された状態で印刷すべく出力する出力手段４として機能させるものである。
【００２１】
上記構成のオリジナルカレンダー作成プログラムによって、コンピュータにより各部を機能させる。ここで、カレンダー情報記憶手段２１、画像情報記憶手段２２およびテンプレート情報記憶手段２３は、コンピュータ内のハードディスク等の記憶装置２に相当する。また、配置手段３は、ＣＰＵに相当し、指定手段１は、キーボードやマウス等の外部入力機器に相当し、出力手段４は、プリンタ等の印刷装置に相当する。
【００２２】
カレンダー情報記憶手段２１には、暦に基いたカレンダー情報が記憶され、画像情報記憶手段２２には、複数の画像情報（画像ファイル）が記憶され、テンプレート情報記憶手段２３には、カレンダー情報および画像情報の配置が予め定められた複数のテンプレート情報が記憶される。画像情報は、各自のコンピュータのハードディスク等に予め記憶されている画像ファイルが使用可能である。
【００２３】
指定手段３によって、複数のテンプレート情報のうちいずれか１つが指定される。
【００２４】
本実施形態においては、コンピュータのモニタに表示された各情報を見ながらマウス等の指定手段３によって各指定を行う。図２は本実施形態のテンプレート選択画面を示す図である。図２に示されるように、カレンダー配置部５１および画像配置部５２の配置が異なる複数のテンプレート５ａ，５ｂ，…が表示され、カーソル６を任意のテンプレート５ａ，５ｂ，…に合わせ、指定する。
【００２５】
ここで、テンプレート情報は、図２に示す月毎のカレンダーに基くものだけではなく、週毎のカレンダーに基くものでもよく、また、複数月、複数週、日替わり等、どのような形態のカレンダー表示に基くテンプレート情報でも採用可能である。例えば、本実施形態においては、月間表示と週間表示とを具備し、図２の週間表示ボタン７０をクリックすることによって、週間表示用のテンプレートを指定することが可能となる。
【００２６】
また、テンプレート情報は、カレンダー配置部５１および画像配置部５２の配置だけでなく、印刷される外枠５３によっても異なるテンプレート情報として記憶してもよい。例えば、図２のテンプレート５ｂとテンプレート５ｄとは、カレンダー配置部５１および画像配置部５２の配置は同じであるが、その外枠５３がテンプレート５ｂ（５ａ，５ｃも同様である）が略Ｔ字形状であるのに対し、テンプレート５ｄは、矩形となっている。これは、テンプレート５ａ〜５ｃが後述するカレンダー付きメモ台のカレンダー用紙用のテンプレートであり、テンプレート５ｄは、一般的な矩形の紙面に印刷するためのテンプレートであるというように、印刷する対象によって異なるテンプレートが採用可能であることを示している。テンプレート５ａ，５ｂ，…の形状は、上記の形状だけでなく、円形等種々適用可能である。
【００２７】
さて、指定手段１により所定のテンプレート情報（ここでは、テンプレート５ａ）が指定されると、配置手段３は、指定手段１により指定されたテンプレート情報に基いて、定められたカレンダー配置部５１にカレンダーを配置表示する。図３は本実施形態のカレンダー作成画面を示す図である。図３に示すように、カレンダー作成画面には、指定されたテンプレート５ａのカレンダー配置部５１にカレンダー情報記憶手段２１に記憶されたカレンダー情報に基いたカレンダーが表示される。表示されたカレンダーの月（または週）を変更する場合には、月変更ボタン（週表示の際は週変更ボタン）７２をクリックし、別画面において、表示したい（作成したい）月（または週）を指定する。
【００２８】
なお、カレンダー情報は、暦自体（数字等の配列）がデータ化された暦データであってもよいし、月毎、週毎等の暦が画像として記憶された画像データであってもよい。暦データである場合は、祝日や休日等のデータも任意に操作可能となるため、法人や店舗等の業務用のカレンダーとして有効である。
【００２９】
続いて、指定手段１により画像情報記憶手段２２に記憶された複数の画像情報のうちいずれか１つが指定される。より具体的には、図３の画像選択ボタン７１をクリックすることにより、画像情報記憶手段２２に記憶されている画像情報（画像ファイル）の一覧が表示され、その中から１つを指定する。指定されると、配置手段３により、前記テンプレート５ａに基いて、定められた画像配置部５２に指定画像を配置表示する。
【００３０】
ここで、テンプレート５ａを他のテンプレートに変更する場合（週表示のカレンダーを作成する場合を含む）は、テンプレート変更ボタン７３をクリックすることにより、図２のテンプレート選択画面が表示され、作成し直すことができる。また、外枠色変更ボタン７４をクリックすることにより、外枠５３の色を設定・変更することも可能である。また、作成を中止する場合は、終了ボタン７６をクリックする。後述する図４および図５のカレンダー用紙１００に印刷されたカレンダーに示されるように、月毎（または週毎）に、画像はもちろんテンプレート自体も変更することができる。
【００３１】
カレンダーおよび画像がテンプレート５ａに基いて配置表示された状態で図３の印刷ボタン７５をクリックすると、表示中のカレンダーが印刷されるべく出力手段４であるプリンタにより出力される。図４は本実施形態において作成されたオリジナルカレンダーを示す図である。図４は、カレンダー用紙１００に印刷した例を示すものである。
【００３２】
カレンダー用紙１００のカレンダー印刷部１１０に任意画像およびカレンダーが図３のテンプレート５ａの配置に基いて印刷される。なお、テンプレート５ａの外枠５３を彩色すべく設定した場合は、テンプレート５ａの外枠５３の形状に基いて（カレンダー印刷部１１０の領域を越えて）印刷される。本実施形態においては、差込部１２０（後述）を含めたカレンダー用紙１００の全域に印刷される。
【００３３】
上記のように、任意の画像を配置することができ、その配置も複数のテンプレート５ａ，５ｂ，…から選択できるため、独自のカレンダーを作成することができる。そして、予め定められたテンプレート５ａ，５ｂ，…を用いて、カレンダーおよび画像を配置することにより、誰でも容易にオリジナルカレンダーを作成することができる。
【００３４】
なお、カレンダー用紙１００は、下記のカレンダー付きメモ台用に限られず、日記帳用、壁掛け用、マウスパッド用等、種々適用可能であり、その形状も円形等種々適用可能である。
【００３５】
次に、上記プログラムにより作成されたカレンダーが印刷されたカレンダー用紙１００を用いたカレンダー付きメモ台について説明する。図５は本発明の一実施形態に係るカレンダー付きメモ台を示す図である。
【００３６】
まず、図４に示すように、カレンダー用紙１００は、上記のオリジナルカレンダー作成プログラムにより作成されたカレンダーを印刷可能なカレンダー印刷部１１０および当該カレンダー印刷部１１０の底辺から前記カレンダー印刷部より幅狭に延出された差込部１２０を有する。
【００３７】
さらに、図５に示すように、メモパッド３００と、前記メモパッド３００を載置可能なメモパッド受部２１０および前記カレンダー用紙１００の前記差込部１２０を差込可能な上方に開口されたカレンダー受部２２０を有するメモ台本体２００とを具備するものである。また、メモ台本体２００は、ペン４００を立て置くことができるペン立て部２３０を具備する。
【００３８】
上記構成のカレンダー付きメモ台によれば、メモ台本体２００のメモパッド受部２１０にメモパッドが載置される一方、カレンダー受部２２０にカレンダー用紙１００が差し込まれる。カレンダー用紙１００は、図４に示すように、カレンダー印刷部１１０の底辺からカレンダー印刷部１１０より幅狭に延出された差込部１２０がメモ台本体２００の上方に開口されたカレンダー受部２１０に差し込まれることによって、図５に示すように、メモ台本体２００（水平）に対して所定角度傾けた状態でカレンダー用紙１００を取り付けることができる。
【００３９】
このように、上述のカレンダー作成プログラムにより、独自のカレンダーが容易に作成できるとともに、カレンダー用紙１００の差込部１２０およびメモ台本体２００のカレンダー受部２２０の構成により、専用のカレンダーケースが不要となるので、複数ある同じカレンダー付きメモ台であっても、それぞれ独自のカレンダーを安価に備えることができる。したがって、特に会社等の備品として大量購入した際であっても各自がそれぞれ異なる構図、異なる図柄等のカレンダーを所持することができる。
【００４０】
なお、カレンダー用紙１００に用いられる台紙は、メモ台本体２００に差し込んだときにカレンダー印刷部１１０が自重により垂れ下がらない程度の硬さ（大きさ、厚みおよび重さ等も関係する）を有するものが好ましいが、垂れ下がる場合には、別途、カレンダー用紙１００の形状と同じ形状で垂れ下がらない程度の硬さを有する紙製、プラスチック製または木製からなるカレンダー用台紙をカレンダー用紙１００の裏面に添える（貼り付けたり、クリップで留める等してもよい）こととしてもよい。また、カレンダー用紙１００の素材は、出力手段４で印刷可能な素材であればよく、紙、プラスチック、金属板、フィルム等、種々の素材を採用可能である。
【００４１】
以上説明したカレンダー用メモ台は、これも上述したオリジナルカレンダー作成プログラムを記録したフレキシブルディスク、ＣＤ−ＲＯＭ等の記録媒体を添えた商品とすることができる。この場合、上記のように簡単に独自のカレンダーが作成可能なオリジナルカレンダー作成プログラムをコンピュータで読み取り可能なフレキシブルディスク等の記録媒体に記録されることにより、カレンダーを具備するメモ台とセットの商品とすることにより、当該商品のカレンダーを容易にオリジナルカレンダーを具備する商品とすることができるとともに、低コストで当該商品の販売を促進することができる。
【図面の簡単な説明】
【００４２】
【図１】本発明の一実施形態に係るオリジナルカレンダー作成プログラムに基いて作動するコンピュータの機能を示す概念図である。
【図２】本実施形態のテンプレート選択画面を示す図である。
【図３】本実施形態のカレンダー作成画面を示す図である。
【図４】本実施形態において作成されたオリジナルカレンダーを示す図である。
【図５】本発明の一実施形態に係るカレンダー付きメモ台を示す図である。
【符号の説明】
【００４３】
１  指定手段
２１  カレンダー情報記憶手段
２２  画像情報記憶手段
２３  テンプレート情報記憶手段
３  配置手段
４  出力手段
１００  カレンダー用紙
１１０  カレンダー印刷部
１２０  差込部
２００  メモ台
２１０  メモ台受部
２２０  カレンダー受部
３００  メモパッド
【図１】
2005122456.tif 000003
【図２】
2005122456.tif 000004
【図３】
2005122456.tif 000005
【図４】
2005122456.tif 000006
【図５】
2005122456.tif 000007